(57)【要約】【課題】ユーザがメモリに記憶可能なデータ容量を知ることができる携帯電話機を提供する。【解決手段】携帯電話機は、画像を撮影する撮影部１８と、データを表示する表示部１１と、撮影部１８で撮影された画像の画像データまたは外部より受信した画像データを記憶するメモリ４０と、メモリ４０の使用状態を監視する使用状態監視部３１と、メモリの記憶可能残容量を表示部１１に表示し、ユーザにメモリ４０の状態を通知する通知処理部３２とを含む。【選択図】図１
2006262506.tif 000002
【特許請求の範囲】
【請求項１】
情報を記録するメモリと、
データを表示する表示部と、
画像を撮影する撮影部と、
前記撮影部による画像撮影中に、前記メモリの記録可能残容量を前記表示部に表示する制御部とを備える、携帯電話機。
【請求項２】
前記制御部は、前記メモリの記憶可能残容量が予め定められた容量以下になった場合に、前記表示部に前記メモリの記録可能残容量を表示する、請求項１に記載の携帯電話機。
【請求項３】
前記メモリは着脱可能である、請求項１に記載の携帯電話機。
【請求項４】
前記制御部は、前記メモリに記憶された情報が静止画像データの場合には、記録可能残容量に応じた画像の記憶可能枚数を前記表示部に表示する、請求項１に記載の携帯電話機。
【請求項５】
前記制御部は、前記メモリに記憶された情報が動画像データの場合には、記録可能残容量に応じた画像の記憶可能時間を前記表示部に表示する、請求項１に記載の携帯電話機。
【請求項６】
前記制御部は、前記メモリの記録可能残容量および記録済み容量をグラフィック表示する、請求項１に記載の携帯電話機。
【請求項７】
前記撮影部は着脱可能である、請求項１に記載の携帯電話機。
【発明の詳細な説明】
【技術分野】
【０００１】
本発明は携帯電話機に関し、特に、データ記憶可能な携帯電話機に関する。
【背景技術】
【０００２】
近年、携帯電話機の機能向上に伴ない、携帯電話機に画像情報や音声情報を記憶させておくことができるようになった。また、カメラを内蔵した携帯電話機も開発されている。      
【特許文献１】特開平１１−９６１１３号公報
【発明の開示】
【発明が解決しようとする課題】
【０００３】
しかし、このような携帯電話機では、メモリに記憶可能なデータ容量をユーザは知ることができない。このため、ユーザはメモリ残容量が少なくなっているのに気づかず撮影または録音を続けてしまい、突然撮影または録音ができなくなってしまう場合がある。
【０００４】
本発明は上述の課題を解決するためになされたもので、その目的は、ユーザがメモリに記憶可能なデータ容量を知ることができる携帯電話機を提供することである。
【課題を解決するための手段】
【０００５】
この発明による携帯電話機は、情報を記録するメモリと、データを表示する表示部と、画像を撮影する撮影部と、撮影部による画像撮影中に、メモリの記録可能残容量を表示部に表示する制御部とを備える。
【０００６】
好ましくは、制御部は、メモリの記憶可能残容量が予め定められた容量以下になった場合に、表示部にメモリの記録可能残容量を表示する。
【０００７】
好ましくは、メモリは着脱可能である。
好ましくは、制御部は、メモリに記憶された情報が静止画像データの場合には、記録可能残容量に応じた画像の記憶可能枚数を表示部に表示する。
【０００８】
好ましくは、制御部は、メモリに記憶された情報が動画像データの場合には、記録可能残容量に応じた画像の記憶可能時間を表示部に表示する。
【０００９】
好ましくは、制御部は、メモリの記録可能残容量および記録済み容量をグラフィック表示する。
【００１０】
好ましくは、撮影部は着脱可能である。
【発明の効果】
【００１１】
この発明によれば、ユーザがメモリに記憶可能なデータ容量を知ることができる。
【発明を実施するための最良の形態】
【００１２】
以下、この発明の実施の形態について図面を参照して詳しく説明する。なお、図中同一または相当部分には同一符号を付してその説明は繰り返さない。
【００１３】
［実施の形態１］
図１を参照して、本発明の実施の形態１に係る携帯電話機は、アンテナ１と、アンテナ１に接続され、アンテナ１を介して外部とデータの送受信を行なう送受信部２と、送受信部２に接続され、データの変調および復調を行なう変復調部３と、ユーザとの間で情報のやり取りを行なうために用いられるユーザインタフェース部１０と、変復調部３およびユーザインタフェース部１０に接続され、ユーザインタフェース部１０と変復調部３との間でデータの受渡しをする端末インタフェース部５０と、各種情報を記録可能なメモリ４０と、変復調部３、メモリ４０、端末インタフェース部５０およびユーザインタフェース部１０に接続され、接続された各部を制御する制御部３０と、外部メモリインタフェース１７に接続された着脱可能なメモリ１００とを含む。
【００１４】
ユーザインタフェース部１０は、画像を撮影する撮影部１８と、データを表示する表示部１１と、音声を入力するために用いられるマイク１２と、音声を出力するスピーカ１３と、外部の機器と接続するための外部Ｉ／Ｏ（Input/Output）コネクタ１４と、データを入力するためにユーザが用いるキー１５と、所定の命令に従い振動するバイブレータ１６と、短距離無線によりデータの送受信を行なう短距離無線通信部１９と、赤外線通信のインタフェースとなる赤外線インタフェース２０と、着脱可能なメモリ１００に接続される外部メモリインタフェース１７とを含む。
【００１５】
短距離無線通信部１９および赤外線インタフェース２０には、パーソナルコンピュータ２００が接続されているものとする。
【００１６】
制御部３０は、メモリ４０の使用状態を監視する使用状態監視部３１と、ユーザにメモリ４０の状態を通知する通知処理部３２とを含む。
【００１７】
端末インタフェース部５０は、表示部１１、マイク１２、スピーカ１３および制御部３０に接続され、表示および音声入出力の制御を行なうコントローラ部５１と、撮影部１８、コントローラ部５１および制御部３０に接続され、画像信号および音声信号のエンコードおよびデコードを行なうコーデック部５４と、変復調部３、コーデック部５４および制御部３０に接続され、コーデック部５４と変復調部３との間でのデータの受渡しを行なう変復調インタフェース部５３とを含む。
【００１８】
コントローラ部５１は、表示部１１および制御部３０に接続され、データの表示制御を行なう表示コントローラ５１Ａと、マイク１２、スピーカ１３および制御部３０に接続され、音声入出力の制御を行なうオーディオコントローラ５１Ｂとを含む。
【００１９】
コーデック部５４は、撮影部１８、変復調インタフェース部５３および制御部３０に接続され、撮影部１８で撮影された画像情報を符号化するビデオエンコーダ５４Ａと、変復調インタフェース部５３、表示コントローラ５１Ａおよび制御部３０に接続され、変復調インタフェース部５３を介して外部より受信した符号化された画像情報を復号するビデオデコーダ５４Ｂと、変復調インタフェース部５３、オーディオコントローラ５１Ｂおよび制御部３０に接続され、マイク１２から入力された音声をオーディオコントローラ５１Ｂを介して受け符号化するとともに、変復調インタフェース部５３を介して外部より受信した符号化された音声情報を復号するオーディオコーデック５４Ｃとを含む。
【００２０】
携帯電話機の各部は以下のように動作する。
データ通信の際には、発信または着信動作により無線チャネルが確立される。その後、たとえば送受信部２が画像情報を受信した場合には、受信した画像情報は変復調部３で変調処理または復調処理が行なわれた後、端末インタフェース部５０に入力される。変復調インタフェース部５３は、受信したデータをコーデック部５４に与える。コーデック部５４のビデオデコーダ５４Ｂは、画像情報をデコードする。デコードされた画像情報は、表示コントローラ５１Ａを経由して表示部１１に表示される。
【００２１】
制御部３０は、上述の画像情報の流れの中で、記憶に適した画像情報、たとえばビデオデコーダ５４Ｂの出力データを取出しメモリ４０に記憶する。使用状態監視部３１は画像情報の記憶のために使用可能なメモリ容量を把握している。通知処理部３２は、メモリ使用容量に応じて、静止画像を記憶している場合には、記憶可能枚数を、動画像を記憶している場合には記憶可能時間を表示コントローラ５１Ａを介して表示部１１に表示する。たとえば、図２（Ａ）を参照して、文字メッセージにより記憶可能枚数などを表示するようにしてもよいし、図２（Ｂ）を参照して、棒グラフなどのグラフィック表示をするようにしてもよい。
【００２２】
通知処理部３２は、メモリ残量が、予め定められた容量よりも少なくなった場合またはユーザが予め設定した容量よりも少なくなった場合、たとえば、静止画像の記憶可能枚数が残り１枚になった場合や、動画像の記憶可能時間が３０秒以下になった場合などに、メモリ残量が少なくなったことを表示部１１へ表示したり、バイブレータ１６を振動させることによりユーザに通知する。なお、バイブレータ１６の代わりにＬＥＤ（Light Emitting Diode）を用い、それを点滅させることによりユーザに通知を行なってもよい。
【００２３】
その他、たとえば、図３（Ａ）を参照して、表示部１１の隅にメモリ残容量が少ないことを示すアイコンを点灯または点滅させてもよい。または、図３（Ｂ）を参照して、たとえばメモリ残量が３０％に達した段階でグラフィック表示を行なってもよい。これらの表示は、現在表示中の画像に重ね合わせて表示される。図３（Ｃ）を参照して、画像表示エリアとメモリ残量通知エリアとを分けて表示するようにしてもよい。
【００２４】
制御部３０は、メモリ４０のみならず、外部メモリインタフェース１７に接続された着脱可能なメモリ１００に関しても同様に、その使用量に応じた残りの録画時間などをユーザに通知する。
【００２５】
撮影部１８で撮影された画像情報も同様にメモリ４０に記憶され、メモリ４０の使用状態が監視される。撮影部１８で取込まれた画像情報はビデオエンコーダ５４Ａでエンコードされ、変復調インタフェース部５３へと送られる。撮影時にマイク１２で音声情報も同時に取込んだ場合には、オーディオコーデック５４Ｃで、音声情報がエンコードされ、画像情報と同様、変復調インタフェース部５３へ送られる。変復調インタフェース部５３は、画像情報および音声情報を多重し、変復調部３へデータを渡す。制御部３０は、変復調インタフェース部５３またはコーデック部５４を経由して画像情報および音声情報の双方をメモリ４０に記憶する。制御部３０は、メモリ４０の残容量に応じて残りの撮影可能時間などをユーザに通知する。
【００２６】
画像の撮影時にメモリ４０の残容量が少なくなくなると、バイブレータ１６が振動したり、図示しないアラームよりアラーム音が発生したりして、撮影に支障をきたすことがある。このため、画像撮影時にはバイブレータ１６の振動およびアラーム音の発生を禁止するような設定を予め行なうことができる。なお、このような場合であっても、表示部１１にはメモリ残容量が表示されるため、メモリ残容量が少なくなっているのに気づかず撮影を続行するようなことはない。
【００２７】
図４（Ａ）を参照して、「撮影モード」の内容を設定する画面で、アラーム音およびバイブレータを「ＯＦＦ」に設定し、着信を「禁止」に設定しておけば、バイブレータ１６の振動や他からの着信により撮影に支障をきたすことがなくなる。なお、図４（Ｂ）を参照して、ユーザは「モード設定」画面において、現在のモードを設定することができるが、撮影部１８を使用して画像撮影を行なっている最中には、自動的に図４（Ａ）の撮影モードが「ＯＮ」に設定される。
【００２８】
画像情報を外部に接続された機器より取込むようにしてもよい。たとえば、赤外線インタフェース２０または短距離無線通信部１９とパーソナルコンピュータ２００との間で無線によりまたは赤外線によりデータの送受信を行なうようにしてもよい。その際、メモリ残容量が少ないことを通知処理部３２は、パーソナルコンピュータ２００に通知する。ユーザは、パーソナルコンピュータ２００を通じてメモリ４０の残容量が少なくなっていることを知ることができる。
【００２９】
なお、上述の例ではメモリ４０またはメモリ１００に画像情報を記憶すること想定して説明を行なったが、画像情報の代わりに音声情報または音楽情報のみを記憶するようにしてもよいのは言うまでもない。音楽情報が記憶されている場合には、通知処理部３２は、表示部１１に図５に示すような表示をすることによりメモリ４０またはメモリ１００の残容量をユーザに知らせる。
【００３０】
本実施の形態によれば、メモリ４０またはメモリ１００の記憶容量を表示部１１に表示し、メモリ容量が少なくなった場合には、バイブレータ１６を振動させるなどしてユーザに知らせるようにした。このため、ユーザが気づかないうちにメモリ容量がなくなってしまうことを防止できる。それとともに、ユーザは録画枚数、録画時間、録音時間またはメモリの残容量を容易に知ることができる。
【００３１】
また、画像の撮影時にメモリ４０の残容量が少なくなったとしても、バイブレータ１６は振動しない。このため、ユーザは支障をきたすことなく撮影を行なうことができる。
【００３２】
［実施の形態２］
図６を参照して、実施の形態２に係る携帯電話機は、図１を参照して説明した実施の形態１に係る携帯電話機において、ユーザインタフェース部１０の代わりにユーザインタフェース部７０を用い、端末インタフェース部５０の代わりに端末インタフェース部６０を用いたものと同様のハードウェア構成を有する。
【００３３】
ユーザインタフェース部７０は、ユーザインタフェース部１０から撮影部１８を除いたものと等しい。端末インタフェース部６０は、端末インタフェース部５０のコーデック部５４の代わりにコーデック部５２を用いたものである。コーデック部５２は、コーデック部５４からビデオエンコーダ５４Ａを除いたものである。
【００３４】
変復調インタフェース部５３およびコーデック部５２のビデオデコーダ５４Ｂには、画像データ取込部１１０が接続される。画像データ取込部１１０は、撮影部１８と、ビデオエンコーダ５４Ａを含み、携帯電話機本体から分離可能な構造になっている。
【００３５】
携帯電話機の各部の動作は実施の形態１による携帯電話機と同様である。このため、その詳細な説明はここでは繰返さない。
【００３６】
本発明のある局面に従う携帯電話機は、メモリと、データを表示する表示部と、メモリに接続され、メモリの使用状態を監視する使用状態監視部と、使用状態監視部および表示部に接続され、メモリの使用状態を表示部に表示する通知処理部とを含む。
【００３７】
メモリの使用状態が表示部に表示される。このため、ユーザが気づかないうちにメモリ容量がなくなってしまうことを防止することができる。
【００３８】
好ましくは、携帯電話機は、さらに、携帯電話機のユーザに外的刺激を与え、警告を発するための警告手段と、メモリの記憶可能容量が予め定められた容量以下になった場合に、警告手段を作動させるための手段とを含む。
【００３９】
メモリの記憶可能容量が残り少なくなると警告手段が作動する。このため、ユーザが気づかないうちにメモリ容量がなくなってしまうことを防止することができる。
【００４０】
さらに好ましくは、通知処理部は、メモリに記憶されたデータが静止画像データの場合には、画像の記憶可能枚数を表示するための手段を含む。
【００４１】
画像の記憶可能枚数が表示されるため、ユーザは撮影可能枚数を予め知ることができる。
【００４２】
さらに好ましくは、通知処理部は、メモリに記憶されたデータが動画像データの場合には、画像の記憶可能時間を表示するための手段を含む。
【００４３】
動画像の記憶可能時間が表示されるため、ユーザは動画像の録画可能時間を予め知ることができる。
【００４４】
さらに好ましくは、携帯電話機は、さらに、携帯電話機のユーザに外的刺激を与え、警告を発するための警告手段と、メモリの記憶可能容量が予め定められた容量以下になった場合に、警告手段を作動させるための手段と、撮影部による画像撮影時には、警告手段を停止させるための手段とを含む。
【００４５】
ユーザが撮影を行なっている最中には、メモリの記憶可能容量が残り少なくなったとしても警告手段を作動させない。このため、ユーザには外的刺激が加えられず、ユーザは支障をきたすことなく撮影を行なうことができる。なお、このような場合には、通知表示部にメモリの使用状態が表示されるため、メモリ残容量が少なくなっているのに気づかず撮影を続行するようなことはない。
【００４６】
本発明によると、メモリの使用状態が表示部に表示される。このため、ユーザが気づかないうちにメモリ容量がなくなってしまうことを防止することができる。
【００４７】
また、ユーザが撮影を行なっている最中には、メモリの記憶可能容量が残り少なくなったとしても警告手段を作動させない。このため、ユーザは支障をきたすことなく撮影を行なうことができる。
【００４８】
今回開示された実施の形態は、すべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【図面の簡単な説明】
【００４９】
【図１】本発明の実施の形態１に係る携帯電話機の構成を示すハードウェアブロック図である。
【図２】使用可能なメモリ容量の表示の一例を示す図である。
【図３】メモリ残容量が少なくなった場合の表示の一例を示す図である。
【図４】モード設定画面の図である。
【図５】メモリに音楽情報を記憶した場合の使用可能なメモリ容量の表示の一例を示す図である。
【図６】本発明の実施の形態２に係る携帯電話機の構成を示すハードウェアブロック図である。
【符号の説明】
【００５０】
１  アンテナ、２  送受信部、３  変復調部、１０，７０  ユーザインタフェース部、１１  表示部、１２  マイク、１３  スピーカ、１４  外部Ｉ／Ｏコネクタ、１５  キー、１６  バイブレータ、１７  外部メモリインタフェース、１８  撮影部、１９  短距離無線通信部、２０  赤外線インタフェース、３０  制御部、３１  使用状態監視部、３２  通知処理部、４０，１００  メモリ、５０，６０  端末インタフェース部、５１  コントローラ部、５１Ａ  表示コントローラ、５１Ｂ  オーディオコントローラ、５２，５４  コーデック部、５３  変復調インタフェース部、５４Ａ  ビデオエンコーダ、５４Ｂ  ビデオデコーダ、５４Ｃ  オーディオコーデック、１１０  画像データ取込部、２００  パーソナルコンピュータ。
【図１】
2006262506.tif 000003
【図２】
2006262506.tif 000004
【図３】
2006262506.tif 000005
【図４】
2006262506.tif 000006
【図５】
2006262506.tif 000007
【図６】
2006262506.tif 000008